(57)【要約】【課題】身体障害者が、車椅子からトイレ・ベッド等へと乗り移る時に生じる転倒の危険や労力の負担を軽減し、小移動も容易に出来るようにした身障者助っ人椅子を提供する。【解決手段】主軸昇降ジャッキにフォ−ク部貫通支持具を設けフォ−ク部を差し込み、ガイドロ−ラ−に沿って可動ア−ム兼肘掛けを交互に動かし、ハンドルグリップと手回しハンドルで駆動部箱に内臓の歯車・長ネジをナットを介して回転させ、主軸昇降ジャッキを上下させる。  主軸昇降ジャッキにキャスタ−付タ−ンテ−ブルを設け全体を旋回させ、ストッパ−レバ−でケ−ス付ワイヤ−ロ−プを介してストッパ−の固定と解除をする。  主軸昇降ジャッキを駆動させる歯車を回転させるためにモ−タ−を設ける。  以上を特徴とする身障者助っ人椅子。【選択図】図１
2007136109.tif 000002
【特許請求の範囲】
【請求項１】
主軸昇降ジャッキ（１）にフォ−ク部貫通支持具（２）を設けフォ−ク部（３）（４）を差し込み、ガイドロ−ラ−（７）（８）に沿って可動ア−ム兼肘掛け（５）（６）を交互に動かし、ハンドルグリップ（９）と手回しハンドル（１０）で駆動部箱（１１）に内臓の歯車（１６）長ネジ（１８）をナット（１７）を介して回転させ、主軸昇降ジャッキ（１）から（２）（３）（４）（５）（６）（７）（８）（９）（１０）（１１）ストッパ−レバ−（１４）を同時に上下させることを特徴とする身障者助っ人椅子。
【請求項２】
主軸昇降ジャッキ（１）にキャスタ−付タ−ンテ−ブル（１２）を設け全体を旋回させ、ストッパ−レバ−（１４）でケ−ス付ワイヤロ−プ（２０）を介してストッパ−（１５）の固定と解除をする機能を設けた請求項１の身障者助っ人椅子。
【請求項３】
主軸昇降ジャッキ（１）を駆動させる歯車（１６）を回転させるためにモ−タ−（１９）を設けた請求項１の身障者助っ人椅子。
【発明の詳細な説明】
【技術分野】
【０００１】  本発明は、身体に不自由を抱えた人が、車椅子からトイレ・ベッド等へと乗り移る時に生じる転倒の危険や労力の負担を軽減し、小移動も容易に出来るようにした身障者助っ人椅子に関するものである。
【背景技術】
【０００２】  従来車椅子から、トイレやベッド等に移るとき、身障者が手すりにつかまるか介護者に抱きかかえられていた。
【発明の開示】
【発明が解決しようとする課題】
【０００３】  そのために、次のような問題点があった。
（イ）移動するのに転倒の危険や労力の負担が大きかった。
（ロ）介護者に頼り、抱きかかえてもらっていた。
（ハ）我慢が多くなるため、心身にも不健康であった。
本発明は以上の問題点を解決しようとするものである。
【課題を解決するための手段】
【０００４】  主軸昇降ジャッキ（１）にフォ−ク部貫通支持具（２）を設け、フォ−ク部（３）（４）を差し込み、ガイドロ−ラ−（７）（８）に沿って可動ア−ム兼肘掛け（５）（６）を交互に動かし、ハンドルグリップ（９）と手回しハンドル（１０）で駆動部箱（１１）に内臓の歯車（１６）長ネジ（１８）をナット（１７）を介して回転させ、主軸昇降ジャッキ（１）から（２）（３）（４）（５）（６）（７）（８）（９）（１０）（１１）ストッパ−レバ−（１４）を同時に上下させる。
主軸昇降ジャッキ（１）にキャスタ−付タ−ンテ−ブル（１２）を設け、全体を旋回させ、ストッパ−レバ−（１４）でケ−ス付ワイヤ−ロ−プ（２０）を介してストッパ（１５）の固定と解除をする。
主軸昇降ジャッキ（１）を駆動させる歯車（１６）を回転させるためにモ−タ−（１９）を設ける。
以上を特徴とする身障者助っ人椅子である。
【発明の効果】
【０００５】  本発明は、座った状態で本体を体の前面に引き寄せ、体を左右に傾け臀部の下にフォ−ク部を交互に差し込むため、立つことなく体を浮かすことが出来る。
そのため、車椅子・トイレ・ベッドや自動車への乗り移り時に生じる、転倒の危険や労力の負担を軽減することができ、方向転換や小移動も可能となる。
【発明を実施するための最良の形態】
【０００６】  以下、本発明の実施の形態について説明する。
（イ）主軸昇降ジャッキ（１）にフォ−ク部貫通支持具（２）を固定する。
（ロ）フォ−ク部貫通支持具（２）に一体型のフォ−ク部（３）可動ア−ム兼肘掛け（５）とフォ−ク部（４）可動ア−ム兼肘掛け（６）を差し込む。
（ハ）可動ア−ム兼肘掛け（５）（６）にガイドロ−ラ−（７）（８）を取り付ける。
（ニ）駆動部箱（１１）の中に歯車（１６）を取り付けハンドルグリップ（９）の付いた手回しハンドル（１０）と連結する。
（ホ）歯車（１６）とナット（１７）を介して長ネジ（１８）と連結する。
（ヘ）主軸昇降ジャッキ（１）とキャスタ−付タ−ンテ−ブル（１２）を連結する。
（ト）駆動部箱（１１）にストッパ−レバ−（１４）を取り付けケ−ス付ワイヤ−ロ−プ（２０）を介してストッパ−（１５）と連結する。
（チ）歯車（１６）にモ−タ−（１９）を取り付ける。
本発明は、以上の構成よりなっている。
本発明を使用するときは、上記の身障者助っ人椅子のフォ−ク部を縮めた状態で体の前面に引き寄せ、ストッパ−レバ−（１４）ストッパ−（１５）で本体を固定する。
体を左右に傾けることにより、臀部の下の隙間に、可動ア−ム兼肘掛け（５）とフォ−ク部（３）・可動ア−ム兼肘掛け（６）とフォ−ク部（４）それぞれ一体型の可動ア−ム兼肘掛けを、交互に手前に引くことにより、フォ−ク部が臀部の隙間に差し込まれる。
手回しハンドル（１０）を回転させると、主軸ジャッキ（１）〜（１１）（１４）が動き、同時に体が上下する。
体が浮いた状態でストッパ−（１５）を解除し、自力他力によって、キャスタ−付タ−ンテ−ブル（１２）で方向転換と小移動が可能となる。
また、狭い場所での使用も可能である。
【図面の簡単な説明】
【０００７】
【図１】本発明の斜視図
【図２】本発明の正面図
【図３】本発明の分解斜視図
【図４】本発明の平面図
【図５】本発明の側面図
【図６】本発明の断面図１
【図７】本発明の断面図２
【図８】本発明の使用状態を示した前面図
【図９】本発明の使用状態を示した側面図
【図１０】本発明の便器使用状態を示した説明図
【図１１】本発明の車椅子使用状態を示した説明図
【図１２】本発明のベッド使用状態を示した説明図
【図１３】本発明の自動車使用状態を示した説明図
【符号の説明】
【０００８】      １  主軸昇降ジャッキ
２  フォ−ク部貫通支持具
３  フォ−ク部１
４  フォ−ク部２
５  可動ア−ム兼肘掛け１
６  可動ア−ム兼肘掛け２
７  ガイドロ−ラ−１
８  ガイドロ−ラ−２
９  ハンドルグリップ
１０  手回しハンドル
１１  駆動部箱
１２  キャスタ−付タ−ンテ−ブル
１３  キャスタ−
１４  ストッパ−レバ−
１５  ストッパ−
１６  歯車
１７  ナット
１８  長ネジ
１９  モ−タ−
２０  ケ−ス付ワイヤ−ロ−プ
Ａ  主軸昇降ジャッキ垂直上下可動
Ｂ  フォ−ク部水平前後可動
Ｃ  歯車、長ネジ回転芯
Ｄ  歯車、手回しハンドル回転芯
Ｅ  ハンドルグリップ回転芯
Ｆ  キャスタ−付タ−ンテ−ブル回転芯
Ｇ  キャスタ−受軸回転芯
Ｈ  キャスタ−受軸回転芯
Ｉ  ストッパ−レバ−可動
Ｊ  ストッパ−上下可動
【図１】
2007136109.tif 000003
【図２】
2007136109.tif 000004
【図３】
2007136109.tif 000005
【図４】
2007136109.tif 000006
【図５】
2007136109.tif 000007
【図６】
2007136109.tif 000008
【図７】
2007136109.tif 000009
【図８】
2007136109.tif 000010
【図９】
2007136109.tif 000011
【図１０】
2007136109.tif 000012
【図１１】
2007136109.tif 000013
【図１２】
2007136109.tif 000014
【図１３】
2007136109.tif 000015